Podtech/llm-jp-corpus-v4-ja_patent huggingface dataset:
【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】
ディジタルテレビ放送を受信し、画像および/またはサウンドの再生が可能な放送受信装置であって、
画像、サウンド、および、付随するシステムデータから構成されるテレビ放送情報を受信する受信手段と、
前記システムデータに基づき受信画像およびサウンドを再生する再生手段と、
前記受信画像がオブジェクト単位に分割されたデータ形態を有する場合、ユーザによって指定されたオブジェクトに対して有効なシステムデータの内容を変更することで、前記指定されたオブジェクトの再生形態を設定する設定手段とを有することを特徴とする放送受信装置。
【請求項２】
さらに、前記設定手段により設定される、前記指定されたオブジェクトの再生形態を、前記システムデータに含まれる放送番組を示す情報に対応付けて記憶する記憶手段を有することを特徴とする請求項1に記載された放送受信装置。
【請求項３】
前記再生手段は、前記受信されたシステムデータに含まれる放送番組を示す情報に対応する再生形態が前記記憶手段に記憶されている場合、前記記憶手段から読み出した再生形態に基づき、受信画像およびサウンドを再生することを特徴とする請求項2に記載された放送受信装置。
【請求項４】
前記再生形態には、オブジェクトの表示/非表示の設定、表示位置の移動および表示サイズの変更の少なくとも一つが含まれることを特徴とする請求項2または請求項3に記載された放送受信装置。
【請求項５】
前記ディジタルテレビ放送とは、MPEG4方式で符号化された画像およびサウンドデータを放送するものであることを特徴とする請求項1から請求項4の何れかに記載された放送受信装置。
【請求項６】
ディジタルテレビ放送を受信し、画像および/またはサウンドを再生する放送受信方法であって、
画像、サウンドおよび付随するシステムデータから構成されるテレビ放送情報を受信し、
前記システムデータに基づき受信画像およびサウンドを再生する際に、前記受信画像がオブジェクト単位に分割されたデータ形態を有する場合、ユーザによって指定されたオブジェクトに対して有効なシステムデータの内容を変更することで、前記指定されたオブジェクトの再生形態の設定することを特徴とする放送受信方法。
【請求項７】
さらに、前記指定されたオブジェクトの再生形態を、前記システムデータに含まれる放送番組を示す情報に対応付けて記憶手段に記憶することを特徴とする請求項6に記載された放送受信方法。
【請求項８】
前記受信したシステムデータに含まれる放送番組を示す情報に対応する再生形態が前記記憶手段に記憶されている場合、前記記憶手段から読み出した再生形態に基づき、受信画像およびサウンドを再生することを特徴とする請求項7に記載された放送受信方法。
【請求項９】
放送受信装置を制御して、請求項6から請求項8の何れかに記載された放送受信を実行するコンピュータプログラムが記録されたことを特徴とするコンピュータが読み取り可能な記録媒体。
【手続補正２】
【補正対象書類名】明細書
【補正対象項目名】０００２
【補正方法】変更
【補正の内容】
【０００２】
【従来の技術】
近年、衛星放送やケーブル放送を用いたディジタルテレビ放送が開始された。ディジタル放送の実現により、画像や音声を含むサウンドの品質向上、圧縮技術を利用した番組の種類や量の増大、インタラクティブサービスなど新しいサービスの提供、受信形態の進化など多くの効果が期待される。
【手続補正３】
【補正対象書類名】明細書
【補正対象項目名】０００９
【補正方法】変更
【補正の内容】
【０００９】
本発明にかかる放送受信装置は、ディジタルテレビ放送を受信し、画像および/またはサウンドの再生が可能な放送受信装置であって、画像、サウンド、および、付随するシステムデータから構成されるテレビ放送情報を受信する受信手段と、前記システムデータに基づき受信画像およびサウンドを再生する再生手段と、前記受信画像がオブジェクト単位に分割されたデータ形態を有する場合、ユーザによって指定されたオブジェクトに対して有効なシステムデータの内容を変更することで、前記指定されたオブジェクトの再生形態を設定する設定手段とを有することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明にかかる放送受信方法は、ディジタルテレビ放送を受信し、画像および/またはサウンドを再生する放送受信方法であって、画像、サウンドおよび付随するシステムデータから構成されるテレビ放送情報を受信し、前記システムデータに基づき受信画像およびサウンドを再生する際に、前記受信画像がオブジェクト単位に分割されたデータ形態を有する場合、ユーザによって指定されたオブジェクトに対して有効なシステムデータの内容を変更することで、前記指定されたオブジェクトの再生形態の設定することを特徴とする。
【手続補正６】
【補正対象書類名】明細書
【補正対象項目名】００１２
【補正方法】削除
【補正の内容】
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
Ｘ線源からのＸ線を被検者に照射し前記Ｘ線源と対向配置されたＸ線検出器で前記被検者の透過Ｘ線を投影データとして検出するデータ検出系と、前記被検者を乗せる天板部と、この天板部を長手方向に移動可能に支持するフレームと、このフレーム上で前記天板部を移動する駆動装置と、この駆動装置によって前記天板部を移動するときは前記天板部を前記駆動装置に連結し、手動によって前記天板部を移動するときは前記天板部を前記駆動装置から取り外す着脱部と、この着脱部によって前記天板部を前記駆動装置から取り外されたことを検出する電気回路を含み、この電気回路の検出結果に基づき前記Ｘ線源からのＸ線の照射を制御する制御回路と、を備えたＸ線ＣＴ装置において、前記フレーム部へ前記天板部の移動方向に沿って設けられ、その一端に前記制御回路が接続された導電部材と、この導電部材と電気的に接触しながら前記天板部と共に移動し、かつ前記電気回路の一部を構成する接続部と、を備えたことを特徴とするＸ線ＣＴ装置。
【手続補正２】
【補正対象書類名】明細書
【補正対象項目名】０００４
【補正方法】変更
【補正の内容】
【０００４】
このような着脱装置を設けたＸ線ＣＴ装置において、検査中に被検者の乗る天板を、その移動のための駆動装置から切り離して移動させた後に、検査を再開する場合において、着脱手段による天板と駆動装置の結合がなされていないときは、Ｘ線を照射しながら天板を縦方向に前後に動かす検査方法では、天板は移動動力機構から既に切り離されているため、天板は動かずＸ線だけが被検者に照射されることになる。この場合の被検者の被曝は無効な被曝となってしまう。これを防止するために天板には動力機構からの切り離しを検出するマイクロスイッチやセンサーなどが設置されている。
【手続補正３】
【補正対象書類名】明細書
【補正対象項目名】０００９
【補正方法】変更
【補正の内容】
【０００９】
（１）Ｘ線源からのＸ線を被検者に照射し前記Ｘ線源と対向配置されたＸ線検出器で前記被検者の透過Ｘ線を投影データとして検出するデータ検出系と、前記被検者を乗せる天板部と、この天板部を長手方向に移動可能に支持するフレームと、このフレーム上で前記天板部を移動する駆動装置と、この駆動装置によって前記天板部を移動するときは前記天板部を前記駆動装置に連結し、手動によって前記天板部を移動するときは前記天板部を前記駆動装置から取り外す着脱部と、この着脱部によって前記天板部を前記駆動装置から取り外されたことを検出する電気回路を含み、この電気回路の検出結果に基づき前記Ｘ線源からのＸ線の照射を制御する制御回路と、を備えたＸ線ＣＴ装置において、前記フレーム部へ前記天板部の移動方向に沿って設けられ、その一端に前記制御回路が接続された導電部材と、この導電部材と電気的に接触しながら前記天板部と共に移動し、かつ前記電気回路の一部を構成する接続部と、を備えたことを特徴とするＸ線ＣＴ装置。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】
被検体の置かれる空間に静磁場、傾斜磁場および高周波磁場の各磁場を発生する磁場発生手段、前記被検体から生じる核磁気共鳴信号を検出する手段、所定の繰り返し時間で前記高周波磁場の照射と核磁気共鳴信号の検出を繰り返すように前記磁場生手段および検出手段を制御する手段および検出された核磁気共鳴信号をもとに前記被検体の画像を再構成し表示する手段を備えた核磁気共鳴撮像装置において、
前記制御手段は、前記被検体内の不要成分からの信号を抑制するための抑制パルスの印加面積を、実行TRに対応して制御することを特徴とする磁気共鳴撮像装置。
【請求項２】
請求項１記載の磁気共鳴撮像装置において、
前記制御手段は、前記抑制パルスを第１の印加面積とする第１の実行TRに対して、前記第１の実行TRより短い第２の実行TRの場合には前記第１の印加面積より大きい第２の印加面積の抑制パルスを印加することを特徴とする磁気共鳴撮像装置。
【請求項３】
請求項１又は２記載の磁気共鳴撮像装置において、
前記制御手段は、前記実行TRに対応して前記抑制パルスの振幅を制御することを特徴とする磁気共鳴撮像装置。
【請求項４】
請求項１又は２記載の磁気共鳴撮像装置において、
前記制御手段は、前記実行TRに対応して前記抑制パルスの印加時間を制御することを特徴とする磁気共鳴撮像装置。
【手続補正２】
【補正対象書類名】明細書
【補正対象項目名】０００６
【補正方法】変更
【補正の内容】
【０００６】
【課題を解決するための手段】
このような目的を達成する本発明のＭＲＩ装置は、被検体の置かれる空間に静磁場、傾斜磁場および高周波磁場の各磁場を発生する磁場発生手段、前記被検体から生じる核磁気共鳴信号を検出する手段、所定の繰り返し時間で前記高周波磁場の照射と核磁気共鳴信号の検出を繰り返すように前記磁場生手段および検出手段を制御する手段および検出された核磁気共鳴信号をもとに前記被検体の画像を再構成し表示する手段を備え、前記制御手段は、前記被検体内の不要成分からの信号を抑制するための抑制パルスの印加面積を、実行ＴＲに対応して制御する。
【手続補正３】
【補正対象書類名】明細書
【補正対象項目名】０００８
【補正方法】変更
【補正の内容】
【０００８】
既に述べたように画像化しようとする成分以外の成分（不要成分）、例えば脂肪組織の縦磁化の緩和状態は、実効ＴＲによって異なるので、実効ＴＲに応じてプリパルスの面積（振幅を照射時間で積分した値）を変化させることにより不要成分からの信号を効果的に抑制することができる。プリパルスの面積は、照射時間と振幅で決まり、その両者あるいはいずれか一方を変更することにより面積を変更することができる。
【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  多結晶材料の表面に沿う複数の異なる結晶面からの材料除去速度を制御するためのスラリーであって、
主キャリア成分；
酸化剤成分；および
極性調節成分
を含むスラリー。
【請求項２】  極性調節成分がスラリーの１０体積％より多く含まれる請求項１に記載のスラリー。
【請求項３】  主キャリア成分が水を含み、かつ極性調節成分が、水の極性より小さい極性を有する材料を含む請求項１に記載のスラリー。
【請求項４】  極性調節成分が、１．８より小さい双極子モーメントを有する材料を含む請求項３に記載のスラリー。
【請求項５】  多結晶材料の表面に沿う複数の結晶面からの材料除去速度を制御するスラリー研磨プロセスであって、スラリーの極性を制御することによって、水成分により支配される極性を有するスラリーを用いると達成されると思われる、それぞれの結晶面からの相対的材料除去速度と異なるように、異なる結晶面からの相対的材料除去速度を加減することを含むプロセス。
【請求項６】  表面に沿うそれぞれの結晶面の相対的面積分率に応じてスラリーの極性を制御することをさらに含む請求項５に記載のスラリー研磨プロセス。
【請求項７】  極性調節成分をスラリーの主キャリア成分に添加することによりスラリーの極性を制御することをさらに含む請求項５に記載のスラリー研磨プロセス。
【請求項８】  主キャリア成分が水を含み、かつ水の極性より小さい極性を有する極性調節成分を添加することをさらに含む請求項７に記載のスラリー研磨プロセス。
【請求項９】  主キャリア成分が水を含み、また双極子モーメントが１．８より小さい、極性調節成分を添加することをさらに含む請求項７に記載のスラリー研磨プロセス。
【請求項１０】  実質的に非極性である極性調節成分をスラリーの主キャリア成分に添加することによって、スラリーの極性を制御することをさらに含む請求項５に記載のスラリー研磨プロセス。
【手続補正書】
【提出日】平成18年1月19日(2006.1.19)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】明細書
【補正対象項目名】特許請求の範囲
【補正方法】変更
【補正の内容】
【特許請求の範囲】
【請求項１】
薄膜トランジスタを有する半導体装置の作製方法であって、
凹凸を有する絶縁膜上に半導体膜を形成し、
前記半導体膜にレーザ光を照射して当該半導体膜の結晶性を高め、
前記結晶性が高められた半導体膜をエッチングして島状の半導体領域を形成し、
前記島状の半導体領域上にゲート絶縁膜を形成し、
前記ゲート絶縁膜上にゲート電極を形成し、
前記島状の半導体領域のうち、前記絶縁膜の凹部に形成された島状の半導体領域を用いて前記薄膜トランジスタのチャネル形成領域を形成することを特徴とする半導体装置の作製方法。
【請求項２】
薄膜トランジスタを有する半導体装置の作製方法であって、
石英基板の表面に開口部を形成して、当該石英基板に凹凸を形成し、
前記凹凸が形成された石英基板上に半導体膜を形成し、
前記半導体膜にレーザ光を照射して当該半導体膜の結晶性を高め、
前記結晶性が高められた半導体膜をエッチングして島状の半導体領域を形成し、
前記島状の半導体領域上にゲート絶縁膜を形成し、
前記ゲート絶縁膜上にゲート電極を形成し、
前記島状の半導体領域のうち、前記石英基板の凹部に形成された島状の半導体領域を用いて前記薄膜トランジスタのチャネル形成領域を形成することを特徴とする半導体装置の作製方法。
【請求項３】
請求項１または２において、凸部の長手方向に沿って前記レーザ光を照射することを特徴とする半導体装置の作製方法。
【請求項４】
薄膜トランジスタを有する半導体装置の作製方法であって、
基板上に第１の絶縁膜を形成し、
前記第１の絶縁膜上に帯状または矩形状の複数の第２の絶縁膜を形成し、
前記第１の絶縁膜及び前記複数の第２の絶縁膜上に半導体膜を形成し、
前記半導体膜にレーザ光を照射して当該半導体膜の結晶性を高め、
前記結晶性が高められた半導体膜をエッチングして島状の半導体領域を形成し、
前記島状の半導体領域上にゲート絶縁膜を形成し、
前記ゲート絶縁膜上にゲート電極を形成し、
前記島状の半導体領域のうち、隣り合う前記複数の第２の絶縁膜の間に形成された島状の半導体領域を用いて前記薄膜トランジスタのチャネル形成領域を形成することを特徴とする半導体装置の作製方法。
【請求項５】
請求項４において、前記複数の第２の絶縁膜と前記島状の半導体領域との間に第３の絶縁膜を形成することを特徴とする半導体装置の作製方法。
【請求項６】
請求項４または５において、前記基板としてガラス基板、石英基板、サファイア基板、または耐熱性を有するプラスチック基板を用いることを特徴とする半導体装置の作製方法。
【請求項７】
請求項４または５において、前記基板として単結晶半導体基板、多結晶半導体基板、金属基板、またはステンレス基板の表面を絶縁膜で被覆した基板を用いることを特徴とする半導体装置の作製方法。
【請求項８】
請求項１乃至７のいずれか一において、前記レーザ光は連続発振であることを特徴とする半導体装置の作製方法。
【請求項９】
請求項１乃至８のいずれか一において、前記レーザ光は、ＹＡＧレーザ、ＹＶＯ４レーザ、ＹＬＦレーザ、ＹＡｌＯ３レーザ、ガラスレーザ、ルビーレーザ、アレキサンドライトレーザ、Ｔｉ：サファイアレーザ、Ｙ２Ｏ３レーザまたはＮｄ：ＹＶＯ４レーザから選ばれた一種または複数種を用いて出力されていることを特徴とする半導体装置の作製方法。
【請求項１０】
請求項１乃至９のいずれか一において、前記レーザ光はスラブ構造増幅器を用いて出力されていることを特徴とする半導体装置の作製方法。
【請求項１１】
請求項１乃至１０のいずれか一において、前記レーザ光は第２高調波または第３高調波であることを特徴とする半導体装置の作製方法。
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
下部プレート（２９、１０３、２４２）と、
中心部及び外縁部を有する上部プレート（２３、１１０、１２５、２４１）と、
前記上部プレートを前記下部プレートの上に配置すると共に、前記下部プレートからある間隙だけ分離する為に前記上部プレートの前記中心部に接続された支持体（２５、１２６、２３０）
とを備え、
前記上部プレートと前記下部プレートの間に電位が印加された場合に、前記上部プレートの前記外縁部が前記下部プレートに対して移動することからなる、コンデンサ（２０、４０、１００、１５０、２００）。
【請求項２】
前記上部プレートの前記外縁部が、複数のスプリング（２４、４１、２２２）により前記上部プレートの前記中心部に接続され、前記上部プレートの前記下部プレートに対する前記移動が、前記スプリングの少なくとも１つを湾曲させることにより吸収されることからなる、請求項１に記載のコンデンサ（２０、４０、１００、１５０、２００）。
【請求項３】
前記上部プレートと前記下部プレートの間に、前記上部プレートと前記下部プレートの短絡を防止するために配置された絶縁層（３３、１０５）を更に含む、請求項１または２に記載のコンデンサ（２０、４０、１００、１５０、２００）。
【請求項４】
前記上部プレートの前記外縁部と前記下部プレートとの間の最短距離を設定する為のスペーサー（２７）を更に含む、請求項１乃至３のいずれかに記載のコンデンサ（２０、４０、１００、１５０、２００）。
【請求項５】
前記スペーサーが前記上部プレートの前記外縁部上の突起を含むことからなる、請求項４に記載のコンデンサ（２０、４０、１００、１５０、２００）。
【手続補正書】
【提出日】平成18年2月21日(2006.2.21)
【手続補正１】
【補正対象書類名】明細書
【補正対象項目名】発明の名称
【補正方法】変更
【補正の内容】
【発明の名称】半導体記憶装置
【手続補正２】
【補正対象書類名】明細書
【補正対象項目名】特許請求の範囲
【補正方法】変更
【補正の内容】
【特許請求の範囲】
【請求項１】  記憶素子の上層に、
窒素が添加されたシリコン酸化膜、Ａｌが添加されたシリコン酸化膜、Ａｌの酸化物、Ｔｉが添加されたシリコン酸化膜、窒素とＡｌとＴｉの３種類のうち２種類が添加されたシリコン酸化膜、窒素とＡｌとＴｉの３種類が添加されたシリコン酸化膜、Ｔｉの酸化物、ＴｉとＡｌの酸化物、Ｔｉ，Ｎｉ，Ｃｏ，Ｚｒ，Ｃｕ，Ｐｔ，Ｖ，Ｍｇ，Ｕ，Ｎｄ，Ｌａ，Ｓｃの金属群のうちいずれか１つからなる単体金属層、これらの金属群のうち２つ以上の金属が全体の少なくとも５０％以上含まれている二元系以上の合金からなる層、この合金の窒化物からなる層、又はこの合金の水素化物からなる層
からなる群のうち少なくとも１つ以上を含む層を具備することを特徴とする半導体記憶装置。
【請求項２】  前記記憶素子の前記上層に形成された金属配線層をさらに具備し、
前記記憶素子と前記金属配線層との間、前記金属配線層の上層の少なくとも一方に、前記群のうち少なくとも１つ以上を含む層が形成されていることを特徴とする請求項１に記載の半導体記憶装置。
【請求項３】  前記記憶素子の前記上層に形成された第１の金属配線層と、
前記第１の金属配線層の上層に形成された第２の金属配線層とをさらに具備し、
前記記憶素子と前記第１の金属配線層との間、前記第１及び第２の金属配線層間、前記第２の金属配線層の上層の少なくともいずれか１つの箇所に、前記群のうち少なくとも１つ以上を含む層が形成されていることを特徴とする請求項１に記載の半導体記憶装置。
【請求項４】  前記記憶素子の前記上層に形成された金属配線層をさらに具備し、
前記群のうち少なくとも１つ以上を含む層が前記金属配線層と積層して形成されていることを特徴とする請求項１に記載の半導体記憶装置。
【請求項５】  前記記憶素子の前記上層に形成された第１の金属配線層と、
前記第１の金属配線層の上層に形成された第２の金属配線層とをさらに具備し、
前記群のうち少なくとも１つ以上を含む層が前記第１及び第２の金属配線層の少なくとも一方と積層して形成されていることを特徴とする請求項１に記載の半導体記憶装置。
【請求項６】  前記記憶素子の前記上層に形成された第１の金属配線層と、
前記第１の金属配線層と同一面上に前記第１の金属配線層と分離して形成され、かつ電気的に孤立した第２の金属配線層とをさらに具備し、
前記群のうち少なくとも１つ以上を含む層が前記第１及び第２の金属配線層と積層して形成されていることを特徴とする請求項１に記載の半導体記憶装置。
【手続補正３】
【補正対象書類名】明細書
【補正対象項目名】０００１
【補正方法】変更
【補正の内容】
【０００１】
【発明の属する技術分野】
本発明は、不揮発性半導体記憶装置に係わり、特に浮遊ゲ−トを有するフラッシュメモリに関する。
【手続補正４】
【補正対象書類名】明細書
【補正対象項目名】００１６
【補正方法】変更
【補正の内容】
【００１６】
本発明は上記課題を解決するためになされたものであり、その目的とするところは、データ保持特性を向上できる不揮発性半導体記憶装置を提供することにある。
【手続補正５】
【補正対象書類名】明細書
【補正対象項目名】００８３
【補正方法】変更
【補正の内容】
【００８３】
【発明の効果】
以上説明したように本発明によれば、データ保持特性を向上できる不揮発性半導体記憶装置を提供できる。
【手続補正書】
【提出日】平成18年3月6日(2006.3.6)
【手続補正１】
【補正対象書類名】明細書
【補正対象項目名】０００２
【補正方法】変更
【補正の内容】
【０００２】
ユビデカレノン（分子式Ｃ５９Ｈ９０Ｏ４、分子量863.36）は、コエンザイムＱ１０または補酵素Ｑ１０として知られる高等動物に存在する補酵素Ｑの１種である。ユビデカレノンは、補酵素として生物活性をもつだけでなく、酸素利用効率を改善させる作用を有するビタミン様作用物質として知られている。このため、ユビデカレノンは、鬱血組織に作用するほか、生体膜の安定化や抗酸化などの作用を有すると考えられ、臨床的には狭心症、心不全、虚血性心疾患の症状改善、軽度および中等度の鬱血性心不全症状の治療薬として、また本態性高血圧症、歯周病疾患、制癌剤や向精神薬の副作用予防などにも有効であると報告されている。さらに、老化防止、筋肉疲労の回復に対する有効性も期待されている。このようにユビデカレノンは高い生理活性を有し、且つ生体内に存在する安全性の高い物質であるため、健康食品素材としても注目されている。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  着脱可能なインクカートリッジとサブタンクを搭載し、記録媒体上に印写する画像形成装置において、前記サブタンクに対してインク供給路を介して前記インクカートリッジのインクを供給する手段と、前記インクカートリッジの着脱状態を検出する手段と、前記インクカートリッジから前記サブタンクへインクを供給し始めてからの経過時間がタイムアウト時間となるかを監視する手段とを備え、前記監視手段は、インク供給中に前記インクカートリッジの脱落を検出し、再度、装着された場合、インク供給開始からインクカートリッジ脱落までの経過時間分を減らしたタイムアウト時間を用いて監視を継続するようにしたことを特徴とする画像形成装置。
【請求項２】  請求項１に記載の画像形成装置において、前記サブタンクの満タン状態を検出する手段を備え、前記監視手段は、タイムアウト時間と前記サブタンクの満タン状態を監視し、タイムアウト時間または満タン状態を検出した場合には、インク供給開始からの経過時間に基づいて前記サブタンクへのインク供給量を計算して、前記サブタンクのインク残量を更新するようにしたことを特徴とする画像形成装置。
【請求項３】  着脱可能なインクカートリッジとサブタンクを搭載し、記録媒体上に印写する画像形成装置のインク供給機構部において、前記サブタンクに対してインク供給路を介して前記インクカートリッジのインクを供給する手段と、前記インクカートリッジの着脱状態を検出する手段と、前記インクカートリッジから前記サブタンクへインクを供給し始めてからの経過時間がタイムアウト時間となるかを監視する手段とを備え、前記監視手段は、インク供給中に前記インクカートリッジの脱落を検出し、再度、装着された場合、インク供給開始からインクカートリッジ脱落までの経過時間分を減らしたタイムアウト時間を用いて監視を継続するようにしたことを特徴とするインク供給機構部。
【請求項４】  着脱可能なインクカートリッジとサブタンクを搭載し、用紙上に印写するための制御を行うコンピュータを有する画像形成装置の駆動制御プログラムであって、前記コンピュータに、前記インクカートリッジから前記サブタンクへインクを供給し始めてからの経過時間がタイムアウト時間となるかを監視させ、インク供給中に前記インクカートリッジの脱落を検出し、再度、装着された場合、インク供給開始からインクカートリッジ脱落までの経過時間分を減らしたタイムアウト時間を用いて監視を継続させることを特徴とする駆動制御プログラム。
【請求項５】  請求項４に記載の駆動制御プログラムを記録したコンピュータが読み取り可能な記録媒体。
【手続補正２】
【補正対象書類名】明細書
【補正対象項目名】０００９
【補正方法】変更
【補正の内容】
【０００９】
【課題を解決するための手段】
上述の課題を解決するために、本発明の請求項１は、着脱可能なインクカートリッジとサブタンクを搭載し、記録媒体上に印写する画像形成装置において、前記サブタンクに対してインク供給路を介して前記インクカートリッジのインクを供給する手段と、前記インクカートリッジの着脱状態を検出する手段と、前記インクカートリッジから前記サブタンクへインクを供給し始めてからの経過時間がタイムアウト時間となるかを監視する手段とを備え、前記監視手段は、インク供給中に前記インクカートリッジの脱落を検出し、再度、装着された場合、インク供給開始からインクカートリッジ脱落までの経過時間分を減らしたタイムアウト時間を用いて監視を継続するようにしたことを特徴とする。
【手続補正３】
【補正対象書類名】明細書
【補正対象項目名】００１１
【補正方法】変更
【補正の内容】
【００１１】
また、本発明の請求項３は、着脱可能なインクカートリッジとサブタンクを搭載し、記録媒体上に印写する画像形成装置のインク供給機構部において、前記サブタンクに対してインク供給路を介して前記インクカートリッジのインクを供給する手段と、前記インクカートリッジの着脱状態を検出する手段と、前記インクカートリッジから前記サブタンクへインクを供給し始めてからの経過時間がタイムアウト時間となるかを監視する手段とを備え、前記監視手段は、インク供給中に前記インクカートリッジの脱落を検出し、再度、装着された場合、インク供給開始からインクカートリッジ脱落までの経過時間分を減らしたタイムアウト時間を用いて監視を継続するようにしたことを特徴とする。
【手続補正４】
【補正対象書類名】明細書
【補正対象項目名】００１２
【補正方法】変更
【補正の内容】
【００１２】
また、本発明の請求項４は、着脱可能なインクカートリッジとサブタンクを搭載し、用紙上に印写するための制御を行うコンピュータを有する画像形成装置の駆動制御プログラムであって、前記コンピュータに、前記インクカートリッジから前記サブタンクへインクを供給し始めてからの経過時間がタイムアウト時間となるかを監視させ、インク供給中に前記インクカートリッジの脱落を検出し、再度、装着された場合、インク供給開始からインクカートリッジ脱落までの経過時間分を減らしたタイムアウト時間を用いて監視を継続させることを特徴とする。
また、本発明の請求項５は、請求項４に記載の駆動制御プログラムを記録したコンピュータが読み取り可能な記録媒体である。
【手続補正書】
【提出日】平成18年5月15日(2006.5.15)
【手続補正１】
【補正対象書類名】明細書
【補正対象項目名】０００３
【補正方法】変更
【補正の内容】
【０００３】
【特許文献１】特公昭５８−３６３３３
【特許文献２】特開平４−２２９２６８
【特許文献３】特開平６−２５０４０６
【手続補正２】
【補正対象書類名】明細書
【補正対象項目名】０００８
【補正方法】変更
【補正の内容】
【０００８】
しかし、上述の特許文献に開示されるＣＣＤ等の受光手段による装置では、高精度の位置決めとインラインで自動化の両立を図る場合、構造が複雑となり装置が高価になるという問題がある。特許文献1と3では印刷原版をテーブルや位置決めアームに担持させたのち担体であるテーブルやアームを受光結果に応じＸ−Ｙ−θ作動させることで位置決めを行う。この担体に自動で色版を搬入、排出する手段を組み込むと機構が複雑になり、動作の累積誤差によりＣＣＤ等の受光手段の解像度に機構の動作精度が追従し難くなるという問題がある。
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
インクを収納するための圧力室を有する圧力室基板と、前記圧力室からインクを吐出するノズル用貫通孔と、前記圧力室に振動を与える圧力印加板とを含むインクジェットプリンターヘッドの製造方法であって、
平面金型上に離型剤を形成したガラスからなる成形用素材を載せ、全体を加熱し、圧力室に相当する突起形状を有する圧力室成形用金型により、完全に貫通させず裏面が残るようになるまでプレス成形する工程と、
前記成形用素材に前記圧力室成形用金型の突起形状を転写する工程と、
冷却せず前記圧力室成形用金型のみ離型する工程と、
冷却後、前記離型剤を除去し、成形された前記成形用素材の裏面より、研磨することで圧力室となる貫通孔を形成する工程と、
前記貫通孔が形成された前記成形用素材を圧力室基板としてそれぞれ前記圧力室に対応した前記ノズル用貫通孔を形成したノズル板を貼付し、それぞれ前記圧力室に対応した圧力印加板を付加する工程とを備えることを特徴とするインクジェットプリンターヘッドの製造方法。
【請求項２】
インクを収納するための圧力室を有する圧力室基板と、前記圧力室からインクを吐出するノズル用貫通孔と、前記圧力室に振動を与える圧力印加板とを含むインクジェットプリンターヘッドの製造方法であって、
平面金型上にガラスからなる成形用素材を載せ、全体を加熱し、離型膜を形成した圧力室に相当する突起形状を有する圧力室成形用金型により、完全に貫通させず裏面が残るようになるまでプレス成形する工程と、
前記成形用素材に前記圧力室成形用金型の突起形状を転写する工程と、
冷却せずに前記圧力室成形用金型のみ離型する工程と、
冷却後、成形された前記成形用素材の裏面より、研磨することで圧力室となる貫通孔を形成する工程と、
前記貫通孔が形成された前記成形用素材を圧力室基板にとしてそれぞれ前記圧力室に対応した前記ノズル用貫通孔を形成したノズル板を貼付し、それぞれ前記圧力室に対応した圧力印加板を付加する工程とを備えることを特徴とするインクジェットプリンターヘッドの製造方法。
【手続補正２】
【補正対象書類名】明細書
【補正対象項目名】発明の名称
【補正方法】変更
【補正の内容】
【発明の名称】インクジェットプリンターヘッドの製造方法
【手続補正３】
【補正対象書類名】明細書
【補正対象項目名】０００１
【補正方法】変更
【補正の内容】
【０００１】
本発明は、インクジェットプリンターヘッドの製造方法に関するものである。
【手続補正４】
【補正対象書類名】明細書
【補正対象項目名】０００４
【補正方法】変更
【補正の内容】
【０００４】
本発明のインクジェットプリンターヘッドの製造方法は、インクを収納するための圧力室を有する圧力室基板と、前記圧力室からインクを吐出するノズル用貫通孔と、前記圧力室に振動を与える圧力印加板とを含むインクジェットプリンターヘッドの製造方法であって、
平面金型上に離型剤を形成したガラスからなる成形用素材を載せ、全体を加熱し、圧力室に相当する突起形状を有する圧力室成形用金型により、完全に貫通させず裏面が残るようになるまでプレス成形する工程と、
前記成形用素材に前記圧力室成形用金型の突起形状を転写する工程と、
冷却せず前記圧力室成形用金型のみ離型する工程と、
冷却後、前記離型剤を除去し、成形された前記成形用素材の裏面より、研磨することで圧力室となる貫通孔を形成する工程と、
前記貫通孔が形成された前記成形用素材を圧力室基板としてそれぞれ前記圧力室に対応した前記ノズル用貫通孔を形成したノズル板を貼付し、それぞれ前記圧力室に対応した圧力印加板を付加する工程とを備えることを特徴とする。
【手続補正５】
【補正対象書類名】明細書
【補正対象項目名】０００５
【補正方法】変更
【補正の内容】
【０００５】
本発明の別のインクジェットプリンターヘッドの製造方法は、インクを収納するための圧力室を有する圧力室基板と、前記圧力室からインクを吐出するノズル用貫通孔と、前記圧力室に振動を与える圧力印加板とを含むインクジェットプリンターヘッドの製造方法であって、
平面金型上にガラスからなる成形用素材を載せ、全体を加熱し、離型膜を形成した圧力室に相当する突起形状を有する圧力室成形用金型により、完全に貫通させず裏面が残るようになるまでプレス成形する工程と、
前記成形用素材に前記圧力室成形用金型の突起形状を転写する工程と、
冷却せずに前記圧力室成形用金型のみ離型する工程と、
冷却後、成形された前記成形用素材の裏面より、研磨することで圧力室となる貫通孔を形成する工程と、
前記貫通孔が形成された前記成形用素材を圧力室基板にとしてそれぞれ前記圧力室に対応した前記ノズル用貫通孔を形成したノズル板を貼付し、それぞれ前記圧力室に対応した圧力印加板を付加する工程とを備えることを特徴とする。
【手続補正６】
【補正対象書類名】明細書
【補正対象項目名】０００６
【補正方法】削除
【補正の内容】
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
熱転写サーマルプリンタにおいて、記録用紙保持部とインクリボン保持部とがプリンタ本体から開閉可能に設けられ、前記プリンタ本体側にインクリボン巻き取りのための駆動部を設けたことを特徴とするプリンタ装置。
【手続補正２】
【補正対象書類名】明細書
【補正対象項目名】００１２
【補正方法】変更
【補正の内容】
【００１２】
消耗品の紙やリボンの交換がこの種のプリンタでは煩わしくなってしまうという問題があった。
【手続補正３】
【補正対象書類名】明細書
【補正対象項目名】００１３
【補正方法】変更
【補正の内容】
【００１３】
熱転写サーマルプリンタにおいて、記録用紙保持部とインクリボン保持部とがプリンタ本体から開閉可能に設けられ、前記プリンタ本体側にインクリボン巻き取りのための駆動部を設けた。
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】削除
【補正の内容】
【誤訳訂正書】
【提出日】平成18年3月13日(2006.3.13)
【誤訳訂正１】
【訂正対象書類名】特許請求の範囲
【訂正対象項目名】全文
【訂正方法】変更
【訂正の内容】
【特許請求の範囲】
【請求項１】
下式（Ｉ）：
【化１】
2005047922.tif 000001
[式中、
−  Ｒ１及びＲ２は互いに独立に以下のものを表し:
−  水素原子;
−  １から６の炭素原子を含むアルキル基であって、ヒドロキシル基、アミノ基、ハロゲン基、アリール基、Ｃ１からＣ３アルコキシ基から選択される一つ以上の基で任意に置換することができるアルキル基;
−  ６から１８の炭素原子を含むアリール基であって、アミノ基、ヒドロキシル基、Ｃ１からＣ３アルコキシ基、Ｃ１からＣ６アルキル基から選択される一つ以上の基で任意に置換することができるアリール基;
−  １から６の炭素原子を含むカルボキシアルキル基;または
−  １から６の炭素原子を含むスルホアルキル基;
−  Ｒ３は水素原子、１から６の炭素原子を含む任意に置換されたアルキル基、任意に置換されたアルケニル基、またはヒドロキシル基、アミノ基、ハロゲン基、Ｃ１からＣ３アルコキシ若しくはアルキル基から選択される一つ以上の基で任意に置換されたアリール基を表し;
−  Ｒ４及びＲ５は互いに独立に、水素原子、アリール基、またはヒドロキシル基、シアノ基、ハロゲン基、アミノ基、１から４の炭素原子を含むアリール基若しくはアルコキシ基から選択される一つ以上の基で任意に置換された１から６の炭素原子を含むアルキル基を表し:
−  Ｒ６はN-(C1-C4)アルキルピリジニウム基、N-(C1-C4)アルキルイミダゾリウム基、N-(C1-C4)アルキルトリアゾリウム基、N-アルキルベンゾチアゾリウム基から選択されるカチオン性基であり；
−  Ｘ及びＹは互いに独立に、窒素原子または−ＣＲ’基を表し、ここでＲ’は水素原子または１から６の炭素原子を含むアルキル基を表し;
−  Ａはアニオン性カウンターイオンである]
の化合物から選択される少なくとも一つの染料を含む、グレーまたはブラックの光沢を得るためのケラチン繊維の染色用組成物。
【請求項２】
前記染料が下式（ＩＩ）及び（ＩＩＩ）：
【化２】
2005047922.tif 000002
[式中、Ａは請求項１に記載のとおりであり、Ｗはアニオン性カウンターイオンを表す]
の化合物から選択される、請求項１に記載の染色組成物。
【請求項３】
Ａ及びＷがクロリドイオンである、請求項２に記載の染色組成物。
【請求項４】
前記染料が前記組成物の全重量の０．００１から２０重量％の範囲の量で存在する、請求項１から３のいずれか一項に記載の染色組成物。
【請求項５】
前記染料が前記組成物の全重量の０．０１から１０重量％の範囲の量で存在する、請求項１から４のいずれか一項に記載の染色組成物。
【請求項６】
水、または水と化粧品的に許容可能な有機溶媒との混合物からなる水性媒体を含む、請求項１から５のいずれか一項に記載の染色組成物。
【請求項７】
前記化粧品的に許容可能な有機溶媒が、アルコール、エチルアルコール、イソプロピルアルコール、ベンジルアルコール、ポリオール、ポリオールエーテル、アルカン、ケトン、及びこれらの混合物から選択される、請求項６に記載の染色組成物。
【請求項８】
更に、請求項１に記載の式（Ｉ）の化合物とは異なる一つ以上の直接染料を含む、請求項１から７のいずれか一項に記載の染色組成物。
【請求項９】
式（Ｉ）の化合物とは異なる一つ以上の直接染料が、ニトロ染料、メチン、アゾメチン、スチリル、トリアリールメタン、ジアリールメタン、アゾ染料、アントラキノン、及びナフトキノン染料、ポルフィリン、テトラフェニルポルフィリン、メタロポルフィリン、フタロシアニン、カロテノイド、テルペノイド、及びフラボノイドタイプの天然染料、蛍光染料、フルオレセイン、ローダミン、及びクマリンから選択される、請求項８に記載の染色組成物。
【請求項１０】
更に一つ以上のカップラーと任意に組み合わせて、一つ以上の酸化ベースを含む、請求項１から９のいずれか一項に記載の染色組成物。
【請求項１１】
酸化ベースがパラ-フェニレンジアミン類、ビスフェニルアルキレンジアミン類、パラ-アミノフェノール類、オルト-アミノフェノール類、複素環ベースから選択される、請求項１０に記載の染色組成物。
【請求項１２】
カップラーがメタ-フェニレンジアミンカップラー類、メタ-アミノフェノールカップラー類、メタ-ジフェノールカップラー類、ナフタレン性カップラー類、及び複素環カップラーから選択される、請求項１０に記載の染色組成物。
【請求項１３】
更に界面活性剤、増粘剤、抗酸化剤、金属イオン封鎖剤、分散剤、ヘアコンディショナー、防腐剤、不透明化剤、酸性化剤、塩基性化剤、及び香料から選択される一つ以上の添加剤を含む、請求項１から１２のいずれか一項に記載の組成物。
【請求項１４】
約３から１２の間のｐＨを有する、請求項１から１３のいずれか一項に記載の染色組成物。
【請求項１５】
グレーまたはブラックの光沢を得るためのケラチン繊維を染色用組成物における、直接染料としての請求項１に記載の式（Ｉ）の化合物の使用。
【請求項１６】
ａ）請求項１から１４のいずれか一項に記載の染色組成物をケラチン繊維に適用する工程;
ｂ）着色を得るのに十分な時間でケラチン繊維に前記組成物を維持する工程;
ｃ）任意にケラチン繊維をすすぎ、そこから前記染色組成物を除去する工程;
ｄ）任意にケラチン繊維を一度または数度洗浄し、各洗浄の後にそれをすすぐ工程;
ｅ）それらを乾燥する工程;
を連続的に含む、グレーまたはブラックの光沢を得るためのケラチン繊維の直接染色方法。
【請求項１７】
ｆ）請求項１から１４のいずれか一項に記載の少なくとも一つの式（Ｉ）の化合物と少なくとも一つの酸化染料とを含む染色組成物をケラチン繊維に適用し、酸化染料の色調を酸化剤で発色する工程;
ｇ）着色を得るのに十分な時間でケラチン繊維に前記組成物を維持する工程;
ｈ）任意にケラチン繊維をすすぎ、そこから前記染色組成物を除去する工程;
ｉ）任意にケラチン繊維を一度または数度洗浄し、各洗浄の後にそれをすすぐ工程;
ｊ）それらを乾燥する工程;
を連続的に含む、グレーまたはブラックの光沢を得るためのケラチン繊維の染色方法。
【請求項１８】
リーブイン時間が３から６０分である、請求項１６または１７に記載の染色方法。
【請求項１９】
酸化剤が過酸化水素、過酸化尿素、アルカリ金属ブロマート、過塩、パーボラート及びパースルファート、過酸、及びオキシダーゼ酵素、ペルオキシダーゼ、ウリカーゼ、２の電子を含むオキシドレダクターゼ、及びラッカーゼ、４の電子を含むオキシゲナーゼから選択される、請求項１７に記載の染色方法。
【誤訳訂正２】
【訂正対象書類名】明細書
【訂正対象項目名】００６６
【訂正方法】変更
【訂正の内容】
【００６６】
実施例２
本発明に係る染色組成物２は、以下の表２に記載された成分を有する。この組成物は、下式の一つに対応する本発明に係る染料（２）(分子量:６６０ｇ／ｍｏｌ)を含む:
【化５】
2005047922.tif 000003
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
左前側チャンネル、左後側チャンネル、右後側チャンネル、右後側チャンネル及び左前側と右前側との中央チャンネルの併せて５チャンネルのオーディオ出力信号をその各チャンネルにそれぞれ対応した位置に設けられたスピーカに供給して音声再生させる車載用５チャンネルオーディオ装置において、
副音声信号を、上記中央チャンネルの上記オーディオ出力信号に加算して該中央チャンネルに対応する位置のスピーカにのみ供給するようにしてなる
ことを特徴とする車載用５チャンネルオーディオ装置。
【請求項２】
上記副音声信号が、カーナビゲーション装置からの出力音声、携帯電話機の受信音声又は自動車の各種警告音の音声信号である
ことを特徴とする請求項１記載の車載用５チャンネルオーディオ装置。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
自転車の前部に左右一対をなして上下伸縮可能に設けられた伸縮シャフトと、これら伸縮シャフトの先端部間に架け渡されるように支持されるとともに少なくとも後方へ展開可能かつ収縮可能に設けられた幌フレームと、この幌フレームに張られた幌布とを備え、
前記一対の伸縮シャフトの先端部どうしが連結ビームにて連結され、各伸縮シャフトには、当該伸縮シャフトを伸長状態にロック可能なシャフトロック機構が設けられており、
さらに、前記連結ビームに設けられたリンクを介して何れの伸縮シャフトのシャフトロック機構とも連繋し、これら伸縮シャフトのロック状態を同時に解除可能な単一のロック解除ボタンを備えたことを特徴とする自転車用幌装置。
【請求項２】
前記幌フレームは、隣り合うものどうしが互いに重ねられる収縮状態と前後に展開される展開状態との間で相対変位可能に連ねられた複数の連接フレーム部にて構成されていることを特徴とする請求項１に記載の自転車用幌装置。
【請求項３】
前記幌フレームが、展開状態において上下に角度調節可能であることを特徴とする請求項１または２に記載の自転車用幌装置。
【請求項４】
前記幌フレームが、展開状態において左右に角度調節可能であることを特徴とする請求項１〜３の何れかに記載の自転車用幌装置。
【請求項５】
前記幌フレームが、収容時には収縮されて伸縮シャフトに添うように垂下されることを特徴とする請求項１〜４の何れかに記載の自転車用幌装置。
【請求項６】
上下伸縮可能な補助伸縮シャフトをさらに備え、伸長状態の補助伸縮シャフトの先端部に、展開状態の幌フレームが解放可能に支持されることを特徴とする請求項１〜５の何れかに記載の自転車用幌装置。
【請求項７】
前記幌布が、前記幌フレームに着脱自在であることを特徴とする請求項１〜６の何れかに記載の自転車用幌装置。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
乗場ドアーに開口部を設け、この開口部に、画像表示装置を埋設したことを特徴とするエレベータの乗場ドアー。
【請求項２】
前記画像表示装置にはテレビ放送画像、ＶＴＲ再生画像、ＤＶＤ再生画像、ビデオカメラ撮像画像、及びパーソナルコンピュータデータの何れかの画像またはデータが表示されることを特徴とする請求項１に記載のエレベータの乗場ドアー。
【請求項３】
前記画像表示装置は複数設けられることを特徴とする請求項１に記載のエレベータの乗場ドアー。
【請求項４】
前記複数の画像表示装置のそれぞれにはテレビ放送画像、ＶＴＲ再生画像、ＤＶＤ再生画像、ビデオカメラ撮像画像、及びパーソナルコンピュータデータのうちの何れか異なる画像またはデータが表示されることを特徴とする請求項３に記載のエレベータの乗場ドアー。
【請求項５】
第１のフロアーのエレベータ乗場近傍に設けられるカメラと、
前記第１のフロアーとは異なる第２のフロアーのエレベータ乗場ドアーに設けられる、前記カメラにより撮像された前記エレベータ乗場近傍の画像を表示する表示装置と
を有することを特徴とするエレベータ表示システム。
【請求項６】
エレベータ管理のための操作をする操作部と、
この操作部における操作により前記カメラにより撮像された画像を前記表示装置に表示させる制御部と
をさらに有することを特徴とする請求項５に記載のエレベータ表示システム。
【請求項７】
所定のフロアーのエレベータ乗場近傍に設けられるカメラと、
このカメラにより撮像された前記エレベータ乗場近傍の画像を通して前記エレベータ乗場近傍の状況を把握するための手段と、
エレベータ管理のための操作をする操作部と、
テレビ放送画像、ＶＴＲ再生画像、ＤＶＤ再生画像、ビデオカメラ撮像画像、又はパーソナルコンピュータデータを表示する表示装置と、
この操作部における操作により前記テレビ放送画像、ＶＴＲ再生画像、ＤＶＤ再生画像、ビデオカメラ撮像画像、又はパーソナルコンピュータデータを前記表示装置に表示させる制御部と
を有することを特徴とするエレベータ表示システム。
【手続補正２】
【補正対象書類名】明細書
【補正対象項目名】発明の名称
【補正方法】変更
【補正の内容】
【発明の名称】エレベータの乗場ドアー及びエレベータ表示システム
【手続補正３】
【補正対象書類名】明細書
【補正対象項目名】０００１
【補正方法】変更
【補正の内容】
【０００１】      本発明は、エレベータの乗場ドアー及びエレベータ表示システムに関するものである。
【手続補正４】
【補正対象書類名】明細書
【補正対象項目名】０００８
【補正方法】変更
【補正の内容】
【０００８】  そして、本発明は上記目的を達成するために、乗場ドアーに開口部を設け、この開口部に、画像表示装置を埋設したことを特徴とするエレベータの乗場ドアーである。
また、本発明の請求項２に係る請求項１に記載のエレベータの乗場ドアーは前記画像表示装置にはテレビ放送画像、ＶＴＲ再生画像、ＤＶＤ再生画像、ビデオカメラ撮像画像、及びパーソナルコンピュータデータの何れかの画像またはデータが表示されることを特徴とする。
また、本発明の請求項３に係る請求項１に記載のエレベータの乗場ドアーは前記画像表示装置が複数設けられることを特徴とする。
また、本発明の請求項４に係る請求項３に記載のエレベータの乗場ドアーは前記複数の画像表示装置のそれぞれにはテレビ放送画像、ＶＴＲ再生画像、ＤＶＤ再生画像、ビデオカメラ撮像画像、及びパーソナルコンピュータデータのうちの何れか異なる画像またはデータが表示されることを特徴とする。
また、本発明の請求項５に係るエレベータ表示システムは第１のフロアーのエレベータ乗場近傍に設けられるカメラと、
前記第１のフロアーとは異なる第２のフロアーのエレベータ乗場ドアーに設けられる、前記カメラにより撮像された前記エレベータ乗場近傍の画像を表示する表示装置と
を有することを特徴とする。
また、本発明の請求項６に係る請求項５に記載のエレベータ表示システムはエレベータ管理のための操作をする操作部と、
この操作部における操作により前記カメラにより撮像された画像を前記表示装置に表示させる制御部と
をさらに有することを特徴とする。
また、本発明の請求項７に係るエレベータ表示システムは所定のフロアーのエレベータ乗場近傍に設けられるカメラと、
このカメラにより撮像された前記エレベータ乗場近傍の画像を通して前記エレベータ乗場近傍の状況を把握するための手段と、
エレベータ管理のための操作をする操作部と、
テレビ放送画像、ＶＴＲ再生画像、ＤＶＤ再生画像、ビデオカメラ撮像画像、又はパーソナルコンピュータデータを表示する表示装置と、
この操作部における操作により前記テレビ放送画像、ＶＴＲ再生画像、ＤＶＤ再生画像、ビデオカメラ撮像画像、又はパーソナルコンピュータデータを前記表示装置に表示させる制御部と
を有することを特徴とする。
【手続補正書】
【提出日】平成18年6月8日(2006.6.8)
【手続補正１】
【補正対象書類名】明細書
【補正対象項目名】請求項５
【補正方法】変更
【補正の内容】
【請求項５】  請求項１〜４のいずれか１つに記載のインクジェットヘッドが用いられていることを特徴とするインクジェットプリンタ。
【手続補正２】
【補正対象書類名】明細書
【補正対象項目名】００２１
【補正方法】変更
【補正の内容】
【００２１】
請求項５の発明は、インクジェットプリンタの発明であり、この発明では、インクジェットプリンタは、請求項１〜４のいずれか１つに記載のインクジェットヘッドが用いられているものとする。
【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】
（ａ）  溶融プラスチック樹脂を提供する工程；
（ｂ） この溶融プラスチック樹脂を、入口および出口を有するオーバーフローダイに導く工程；
（ｃ） 溶融プラスチック樹脂を、前記オーバーフローダイを使用して溶融ウェブに成形する工程；
（ｄ） 前記オーバーフローダイから離れるように前記溶融ウェブを導く工程；および
（ｅ） 前記溶融ウェブを冷却して固体シートを形成する工程、
を含む、高品質プラスチックシートの製造方法であって、
前記溶融プラスチック樹脂が、ビスフェノール成分として（１）１，１−ビス（４−ヒドロキシフェニル）−３，３，５−トリメチルシクロヘキサン；（２）２，２−ビス（４−ヒドロキシフェニル）プロパンと１，１−ビス（４−ヒドロキシフェニル）−３，３，５−トリメチルシクロヘキサンとの混合物；（１）と（２）のブレンド；または、（１）もしくは（２）とビスフェノール成分として２，２−ビス（４−ヒドロキシフェニル）プロパンを含む第２のポリカーボネートとのブレンド、を含むポリカーボネートである、高品質プラスチックシートの製造方法。
【請求項２】
溶融プラスチック樹脂のソースが押し出しにより供給される、請求項１記載の方法。
【請求項３】
ａ）請求項１記載の方法により製造された光学的品質のプラスチックシート、およびｂ）該シートの少なくとも１つの面に配置された導電層を含む、液晶ディスプレー用の基体。
【請求項４】
保護コーティング、カラーフィルターコーティング、またはバリヤコーティングの１以上の層で基体を被覆した後、導電層で被覆する、請求項３記載の液晶ディスプレー用の基体。
【請求項５】
ａ）請求項１記載の方法により製造された光学的品質のプラスチックシート、およびｂ）該シートの少なくとも１つの面に配置された能動的電子素子の層を含む、液晶ディスプレー用の基体。
【請求項６】
１以上の請求項３記載の基体を含む、液晶ディスプレーセル。
【請求項７】
１以上の請求項４記載の基体を含む、液晶ディスプレーセル。
【請求項８】
１以上の請求項５記載の基体を含む、液晶ディスプレーセル。